(57)【特許請求の範囲】
【請求項１】
予め設定された設定経路データおよび現在位置データを比較して異常な位置状態を検出して警報を報知する異常報知機能付き移動端末装置において、
前記現在位置データを予め決められた一定時間間隔で検出して順次にメモリに格納できる登録モードと、前記設定経路データおよび前記現在位置データを比較して異常検出時に警報を報知する監視モードとを有し、
前記登録モードにおいて、前記設定経路データと前記現在位置データとの比較をし、該設定経路と該現在位置との離隔距離が所定値以下であるとき、該現在位置データの前記メモリへの格納をスキップし、該離隔距離が該所定値以上であるとき、該現在位置データの前記メモリへの格納をするメモリ制御手段を備えることを特徴とする異常報知機能付き移動端末装置。
【請求項２】
前記登録モード又は前記監視モードを選択するモード選択手段を備えることを特徴とする請求項１に記載の異常報知機能付き移動端末装置。
【請求項３】
前記警報は、音の鳴動、バイブレータの作動又は表示部への表示により行うことを特徴とする請求項１又は２のいずれかに記載の異常報知機能付き移動端末装置。
【請求項４】
前記警報の報知後、予め設定された一定時間内に前記警報の解除が行われないとき、予め設定されている所定の通報先へ報知する報知手段を備えることを特徴とする請求項１乃至３のいずれかに記載の異常報知機能付き移動端末装置。
【請求項５】
前記所定の通報先は、前記メモリに通報先データとして格納されていることを特徴とする請求項４に記載の異常報知機能付き移動端末装置。
【発明の詳細な説明】
【技術分野】
【０００１】
本発明は、予め設定された移動経路と現在位置とを比較して異常な移動状態を検出して報知する異常報知機能付き移動端末装置に関する。
【背景技術】
【０００２】
人が携帯したり車両に設置された移動端末装置に、ＧＰＳシステム等でなる現在位置検出装置を設け、当該移動端末装置が移動されたときに現在位置データを順次に検出し、そのデータと予め設定された設定経路データとを比較し、移動状態の異常を見付け、必要に応じて警報を発する異常報知機能付き移動端末装置が存在し、その一例として[特許文献１]に開示されたルート逸脱検出機能付ＡＶＭシステムがある。
【０００３】
即ち、全体システムが、１つの移動局（移動端末装置）と、移動局から伝送されてくる情報に基づいて移動局の位置を同定する親局とから構成され、移動局は、ＧＰＳ衛星から送信されてくる電波に基づいて移動局自体の現在位置を同定する手段と、移動局自体の現在位置に移動局の認識コードを付加して送信する手段とを含んで構成されている。
【０００４】
一方、親局の構成は、移動局が移動を開始する前に移動局の認識コードと移動ルートを設定記憶する手段と、送信されてくる移動局の現在位置と認識コードとを受信する手段と、移動ルートと移動局の現在位置との偏差が所定のしきい値以上であるか否かを判定する手段と、偏差が所定のしきい値以上であると判定された場合に警報を発生する手段とを含んで構成されている。
【０００５】
従って、移動局の位置をＧＰＳシステムを用いて検出し、移動局から親局に向けて定期的に現在位置データを送信し、親局の側に予め設定された移動経路データと前記現在位置データとを比較し、両データによって求められた離隔距離が所定値を超えたときに経路逸脱と決定し、親局の側でブザー鳴動や表示による報知を行い、親局において経路逸脱である旨の把握をすることができ、必要に応じて移動端末装置の側に経路逸脱である旨の送信を行って移動端末装置の側にその把握をさせている。
【０００６】
このような移動局の有する移動端末装置には、移動する人や車両が、誘拐や急病等の何らかの非常事態に陥ってしまった場合に、非常通報スイッチを押操作することによって親局等の所定の通報先に知らせる機能が付加されているものが例えば［特許文献２］に開示されている移動者安全確認装置および携帯端末として存在する。
【０００７】
即ち、この携帯端末は、ＧＰＳシステム等による現在位置を検知する機能と、エスコート要請を検知する機能と、エスコート要請を入力するためのボタンと、現在位置およびエスコート要請を電波で送信する通信機能とを備えて構成され、移動者安全確認装置は、表示部に安全確認対象領域の地図を表示し、エスコート要請を受けると、対象者の予定移動経路を地図に重ねて表示し、現在位置を受信し、その現在位置を順次に地図に表示し、対象者の実際の移動経路を地図に重ねて表示し、予定移動経路と現在位置との距離が所定値を超えたときには、経路逸脱と見なして、非常通報信号の受信を待つことなく、警報を発するように構成される。
【０００８】
この場合、非常通報スイッチを押操作することができる状況であれば問題なく非常事態の通報がなされるものの、誘拐等のように非常通報スイッチを操作できない急な非常事態が発生したとき、または移動せずに１個所に所定時間以上の間に停止してしまったとき、目的地に到着予定時刻を過ぎても到着しないとき等においても正規の非常通報が行えるように、予め設定された移動経路と現在位置とを比較して求められた離隔距離が所定値を超えたとき、並びに、１個所に停止、予定時刻を過ぎても到着しないとき等の異常が発生したときにもその内容を通報することができる。
【特許文献１】特開平６−２６８７６号公報（図１〜図３、［０００６］〜［００１７］）
【特許文献２】特開２００１−７６２８９号公報（図３、［００２５］〜［００３３］）
【発明の開示】
【発明が解決しようとする課題】
【０００９】
従来の異常報知機能付き移動端末装置は、異常報知の動作が、設定経路データの入力、現在位置データの検出、該検出のデータと設定経路データとの比較、報知の判定、及び発報という一連の動作が実行され、その際には、現在位置データと設定経路データのそれぞれがメモリに格納されるのであるが、両データの内容は異なるメモリ格納領域にそれぞれ格納されるためにメモリ格納状態の冗長性があり、このために、限られたメモリ容量を有効に活用することができず、異なるメモリ格納領域に２つの同一データ、即ち、現在位置データと設定経路データが格納されるために当該メモリの有する最大容量を有効に活用することができないという問題がある。
【００１０】
そこで、本発明の目的は、設定経路と現在位置のデータを格納するメモリの有する最大容量を有効に活用できるようにしてメモリ格納の冗長性を少なくし、これと共にメモリ容量を必要最小限の値にして装置価格を低減させることが出来る異常報知機能付き移動端末装置を提供することにある。
【課題を解決するための手段】
【００１１】
本発明による異常報知機能付き移動端末装置は、次に列挙するような特徴的な構成を採用している。
【００１２】
（１）予め設定された設定経路データおよび現在位置データを比較して異常な位置状態を検出して警報を報知する異常報知機能付き移動端末装置において、
前記現在位置データを予め決められた一定時間間隔で検出して順次にメモリに格納できる登録モードと、前記設定経路データおよび前記現在位置データを比較して異常検出時に警報を報知する監視モードとを有し、
前記登録モードにおいて、前記設定経路データと前記現在位置データとの比較をし、該設定経路と該現在位置との離隔距離が所定値以下であるとき、該現在位置データの前記メモリへの格納をスキップし、該離隔距離が該所定値以上であるとき、該現在位置データの前記メモリへの格納をするメモリ制御手段を備える異常報知機能付き移動端末装置。
【００１３】
（２）前記登録モード又は前記監視モードを選択するモード選択手段を備える上記（１）の異常報知機能付き移動端末装置。
【００１４】
（３）前記警報は、音の鳴動、バイブレータの作動又は表示部への表示により行う上記（１）又は（２）のいずれかの異常報知機能付き移動端末装置。
【００１５】
（４）前記警報の報知後、予め設定された一定時間内に前記警報の解除が行われないとき、予め設定されている所定の通報先へ報知する報知手段を備える上記（１）乃至（３）のいずれかの異常報知機能付き移動端末装置。
【００１６】
（５）前記所定の通報先は、前記メモリに通報先データとして格納されている上記（４）の異常報知機能付き移動端末装置。
【発明の効果】
【００２４】
本発明の異常報知機能付き移動端末装置によれば、設定経路と現在位置のデータを格納するメモリの有する最大容量を有効に活用できるようにしてメモリ格納の冗長性を少なくし、これと共にメモリ容量を必要最小限の値にして装置価格を低減させることが出来る。
【実施例１】
【００２５】
本発明の実施の形態による異常報知機能付き移動端末装置の［実施例１］の構成を図１を用いて説明する。装置全体を複合的に制御するための制御部１がマイクロコンピュータ等を有して構成され、これにメモリ２、通信部３、キーボード４及び表示部５が接続されている。
【００２６】
メモリ２は、装置全体を複合的に制御するに必要な基本的な動作を実行させるに必要なプログラム等が固定的に格納されたしたＲＯＭ部と、種々動作の実行のために一時的に用いられるデータを読み書きするためのＲＡＭ部を有し、設定経路データ２ａと現在位置データ２ｂを読み書きするための格納領域を有して構成され、更に、異常時に非常通報する通報先の電話番号でなる通報先データ２ｃも格納されている。
【００２７】
なお、このメモリ２は、本例では制御部１に付加接続されているが制御部１に内蔵されるメモリと全部もしくは一部が共用されて構成されたり、装置に外付けされるカード形式のメモリで構成される場合もある。
【００２８】
通信部３は、電話交換機能を有する基地局８に対して通常の音声送受並びに文字や画像データの送受信を行うことができると共に、メモリ２に予め格納されている通報先データ２ｃに対する非常通報も行うことができる。
【００２９】
キーボード４は、通話の相手先電話番号を入力するためのテンキーと、通信部３で行われる送受話または文字や画像等の送受信を行うときの多種多様な動作設定を行うための動作指令キーを有し、更に登録モード設定キー４ａと監視モード設定キー４ｂを有して構成されている。
【００３０】
なお、登録モードと監視モードは、制御部１による動作指令でもって自動的に変化されるものであるが、登録モード設定キー４ａと監視モード設定キー４ｂのいずれかを手動操作することによって登録モードから監視モードに、または監視モードから登録モードに強制的に変更することができる。
【００３１】
表示部５は、通信部３によって行われる送受話並びに文字や画像の送受信における動作の状態を文字で説明したり、模式化した絵柄で表示したり、相手先電話番号等の文字表示を行わせるものである。
【００３２】
ＧＰＳ装置６は、移動端末装置を所持している人または設置されている車両の現在位置を検出するもので、地球を周回する複数の人工衛星のそれぞれから送信される電波を受信することによって自位置を三角測量の原理を用いて所定の時間間隔で順次に検出し、得られたデータをメモリ２内に現在位置データ２ｂとして格納される。
【００３３】
警報部７による警報は、メモリ２に格納された設定経路データ２ａと現在位置データ２ｂとを比較して得られた離隔距離の値が所定値を超えたときに経路逸脱であると判断されたときに発せられる。
【００３４】
従って、キーボード４の登録モード設定キー４ａの押操作によって、移動経路を予めメモリ２の設定経路データ２ａとして登録する登録モードとされ、監視モード設定キー４ｂを押操作することによって移動経路を監視する監視モードにすることができ、監視モードにされているときにＧＰＳ装置６によって検出された現在位置データがメモリ２の現在位置データ２ｂとして制御部１による制御の元に格納される。
【００３５】
設定経路データ２ａと現在位置データ２ｂを比較し、移動経路の中の最も近い点との離隔距離の検出が主として制御部１によって構成され、その値が所定値を超えたことが制御部１によって判定したされたときに経路逸脱と判定して報知し得る報知手段が警報部７で構成される。
【００３６】
警報部７による報知には、次のような具体例があり、移動端末装置に対して異常を報知する例と、移動端末装置と通信する親局に対し通信部３を用いて発信する報知の例と、メモリ２に予め格納されている通報先データ２ｃに対応する通報先に報知する例が有り、いずれの場合においても、異常移動状態が検出されてから所定の解除動作（後述）がなされなかったときに報知する確認手段を付加して構成されている。
【００３９】
以上のように構成された異常報知機能付き移動端末装置の基本動作について説明すると、制御部１による動作は、登録モードと監視モードの２種類の動作モードからなり、その選択は、キーボード４の登録モード設定キー４ａと監視モード設定キー４ｂのいずれかを押操作することによって行うことができる。
【００４０】
登録モードにされているときには、一定時間間隔でＧＰＳ装置６によって検出された自位置のデータを現在位置データ２ｂとして順次にメモリ２に格納される。この動作はキーボード４によって登録モード終了の押操作がされるまで持続する。
【００４１】
一方、監視モードにされているときには、一定時間間隔でＧＰＳによって装置の現在位置が検出されると、メモリ２に格納されている設定経路データ２ａのうちで最も近い位置を検索する。その位置と現在位置との距離を算出し、予め設定した距離よりも離れている場合は、設定経路を逸脱したと判断し、警報を発出する。
【００４２】
この警報は、音の鳴動、バイブレータの作動、表示部５への表示等による。警報を発出して一定時間以内にキーボード４から警報解除の操作がされた場合は、その後のキーボード操作によって登録モードに移行するか動作を終了する。
【００４３】
警報を発出して一定時間以内に警報解除の操作がされなかった場合は、メモリ２の通報先データ２ｃに登録されている通知先に通信部３を介して基地局８に自動的に通信し、非常事態発生を通知する。
【００４４】
監視モード中に警報発出した時は登録モードに切替えてその時の位置を追加登録することによって、登録されている位置を経路として参照する上で、解像度、ばらつきの点で、より精度の高い情報となる。
【００４５】
以上のような基本動作を行う［実施例１］の異常報知機能付き移動端末装置の詳細動作を図２に示すフローチャートを用いて説明する。
【００４６】
先ず、ステップＳ１で動作モード選択、即ち登録モードと監視モードのいずれであるかの判定がなされ、登録モードであると判定された場合には、ステップＳ２に進み、移動端末装置の現在位置がどこであるかのデータがＧＰＳ装置６によって求められ、次のステップＳ３に移行して位置情報登録が現在位置データ２ｂへのデータ格納によって実行される。
【００４７】
登録モードでは、一定時間間隔の度にＧＰＳ装置６によって検出された位置を順次に現在位置データ２ｂとしてメモリ２への格納を開始し、ステップＳ４に移行して登録モードが終了されたか否かを判定し登録モード中であるときにはステップＳ２に戻されて再度に亘って現在位置情報の登録がなされ、登録の完了と判定されたときに登録が完了する。
【００４８】
さて、ステップＳ１による動作モード選択で、監視モードであると判定された場合には、ステップＳ５に移行し、ＧＰＳ装置６を用いて現在位置の検出がなされ、そのデータがメモリ２に現在位置データ２ｂとして格納され、次のステップＳ６に進んで、メモリ格納データの位置情報のうちで最も近い位置を設定経路データ２ａの中から検索し、次のステップＳ７に進む。
【００４９】
ステップＳ７は、設定位置と現在位置との距離を算出し、予め設定した距離よりも離れている場合には、設定経路を逸脱したと判断し、ステップＳ９に進んで警報部７を用いた警報を発報する。
【００５０】
この発報から一定時間以内にキーボード４から警報解除の操作がされたか否かがステップＳ１０によって判断され、解除された場合には、ステップＳ１１に移行して登録モードへの移行が終了されたり、ステップＳ２に移行され、ステップＳ２以降が再び実行される。
【００５１】
ステップＳ１０による判定で、警報を出してから一定時間以内に警報解除の操作がされなかった場合（タイムアウトの場合）には、ステップＳ１２に進んでメモリ２に登録されている非常通報先の電話番号が参照され、ステップＳ１３に進み、メモリ２の通報先データ２ｃへの非常通報が通信部３を用いて基地局８に発信し、所定の通報先に自動メッセージを送話するという緊急通信が行われることによって一連動作が終了する。
【００５２】
監視モードの途中で警報が発出したときには、登録モードに切り替えることによって、そのときの位置を追加登録されるので、登録されている位置を経路として参照する上で、解像度、ばらつきの点で、より精度の高い情報となる。
【００５３】
さて、ステップＳ７にて経路逸脱ではない（経路内）と判定された場合には、ステップＳ８に進み、監視モード終了であるか否かが判定され継続の場合には、ステップＳ５に戻され、それ以降のステップが再び実行され、監視モード終了となったときに一連動作が完了する。
【実施例２】
【００５４】
上述の［実施例１］による異常報知機能付き移動端末装置は、登録モードでは、検出された現在位置情報の全てをメモリ制御手段によりメモリに順次に格納する例であったが、設定位置と現在位置との離隔距離が所定値以下であるときは現在位置の登録をスキップすることにより、類似した位置情報の登録を避け、メモリ２の有効利用を可能にした異常報知機能付き移動端末装置を［実施例２］として次に説明する。
【００５５】
その動作は図３に示すフローチャートのように、［実施例１］における動作フローチャート（図２参照）のステップＳ５乃至ステップＳ１３の全体を図３に示すようにステップＳ０（破線で囲った部分）とし、図２に示すステップＳ１からステップＳ４の代わりに、図３に示すステップＳ１４乃至ステップＳ１９としたものである。
【００５６】
先ず、ステップＳ１４によって動作モード選択が監視モードと登録モードのいずれであるかの判定がなされ、監視モードであると判定された場合には、破線で囲ったステップＳ０部分が前述の［実施例１］と同様に実行され、ステップＳ１４で登録モードであると判定された場合には、ステップＳ１５に移行し、移動端末装置の現在位置がどこであるかのデータがＧＰＳ装置６によって求められ、次のステップＳ１６に移行して登録位置の検索が実行された後にステップＳ１７に進む。
【００５７】
ステップＳ１７は、類似情報の有無を判定するもので、登録モードのときに、所定時間間隔で現在位置を検出した結果データを順次にメモリ２の現在位置データ２ｂに格納するに際して、その都度に検出された離隔距離が所定値以下であるとき、換言すれば設定経路に等しいかわずかの距離しか離れていない場合にはステップＳ１９に進んで登録モード終了の判断がなされる。
【００５８】
ステップＳ１７で類似情報が無いと判断された場合、換言すれば設定経路に対して所定の距離以上の離隔距離を有している場合には、次のステップＳ１８に進み、既データを上書き状態で格納するようにした後にステップＳ１９に進んで登録モードが終了されたか否かを判定し登録モード中であるときにはステップＳ１５に戻されて再度に亘って現在位置情報の検出がなされ、登録モードの終了と判定されたときに一連動作が終了する。
【００６０】
従って、類似した位置情報がメモリ２に現在位置データ２ｂとして登録されることを避けることができ、メモリ容量の有効利用が図れメモリを削減させることができる。
【００６１】
また、本発明の対象とする移動端末装置は、携帯電話機の場合のみならずＰＤＡであったり携帯型パソコンのそのものであっても良いことは勿論であり、移動する人が保持する場合や移動する車両に設置される場合のいずれに対しても適用できることは勿論である。
【図面の簡単な説明】
【００６２】
【図１】本発明の実施の形態による異常報知機能付き移動端末装置の一例を示すブロック回路図である。
【図２】図１に示される異常報知機能付き移動端末装置の動作の一例を説明するためのフローチャートである。
【図３】図１に示される異常報知機能付き移動端末装置の動作の他例を説明するためのフローチャートである。
【符号の説明】
【００６３】
１    制御部
２    メモリ
２ａ  設定経路データ
２ｂ  現在位置データ
２ｃ  通報先データ
３    通信部
４    キーボード
４ａ  登録モード設定キー
４ｂ  監視モード設定キー
５    表示部
６    ＧＰＳ装置
７    警報部
８    基地局
【図１】
0004320397.tif 000002
【図２】
0004320397.tif 000003
【図３】
0004320397.tif 000004